(57)【要約】【課題】一般医療スタッフの参考となるガイダンス情報を配信することができるガイダンス情報配信装置、ガイダンス情報配信装置の制御方法、ガイダンス情報配信プログラム、及びガイダンス情報配信システムを提供することを目的とする。【解決手段】医療作業情報取得部４１は、熟練医療スタッフによる医療行為の内容を表す医療作業情報を取得し、取得した医療作業情報をガイダンス情報３４としてガイダンス情報格納部３３に格納する。配信部４２は、一般医療スタッフからの要求に応じて、ガイダンス情報格納部３３からガイダンス情報３４を読み出し、一般スタッフ用クライアント端末１１Ａに配信する。【選択図】図７
2015197735.tif 000002
【特許請求の範囲】
【請求項１】
医療作業に熟練した熟練医療スタッフにより前記医療作業が行なわれる場合に、前記医療作業の内容を表す医療作業情報を取得する医療作業情報取得部と、
前記医療作業情報取得部で取得された前記医療作業情報を、前記医療作業の手法や手順を説明するためのガイダンス情報として格納するガイダンス情報格納部と、
前記熟練医療スタッフよりも熟練度が低い一般医療スタッフによって使用されるクライアント端末から、複数種類の前記医療作業の中から選択された少なくとも１つの前記医療作業の指定を含む配信要求を受け付ける受け付け部と、
前記指定情報で指定された医療作業に対応する前記ガイダンス情報を前記ガイダンス情報格納部から読み出し、前記クライアント端末に配信する配信部と、
を備えるガイダンス情報配信装置。
【請求項２】
前記医療作業情報取得部は、前記熟練医療スタッフによる前記医療作業を撮影する撮影部を含み、前記撮影部により撮影された医療作業画像を前記医療作業情報とする請求項１に記載のガイダンス情報配信装置。
【請求項３】
前記撮影部は、前記熟練医療スタッフの身体に装着されるウェアラブル型撮影装置と、前記医療作業が行われる部屋に設置された固定撮影装置とのうちの少なくとも１つである請求項２に記載のガイダンス情報配信装置。
【請求項４】
前記医療作業情報取得部は、患者の診療情報を含む医療情報を管理する医療情報管理装置から、前記熟練医療スタッフによる前記診療情報の閲覧履歴情報を取得し、前記閲覧履歴情報に基づいて、前記熟練医療スタッフが前記患者の診療を目的として閲覧した前記診療情報、及び前記診療情報の閲覧順序を特定する請求項１から３のいずれか１項に記載のガイダンス情報配信装置。
【請求項５】
前記医療作業情報取得部は、前記診療情報、または前記医療作業の内容が記録された医療情報である作業記録情報に基づいて、前記熟練医療スタッフが前記医療作業として行なった処置で使用した器具を特定し、前記医療作業情報として取得する請求項４に記載のガイダンス情報配信装置。
【請求項６】
前記一般医療スタッフが保有する医療資格に関する資格情報を格納する資格情報格納部と、
前記医療資格により実施が許されている医療作業と、実施が許されていない医療作業とを表す実施許否情報を格納する実施許否情報格納部と、
前記資格情報及び前記実施許否情報に基づき、前記配信要求を送信した前記一般医療スタッフが、前記指定情報で指定した前記医療作業を実施可能か否か判定する判定部と、
を備えており、
前記配信部は、前記判定部で実施可能と判定された場合には、前記ガイダンス情報を配信し、実施不可と判定された場合には、前記ガイダンス情報の配信を中止する請求項１から５のいずれか１項に記載のガイダンス情報配信装置。
【請求項７】
前記医療作業情報取得部は、前記受け付け部で前記医療作業の指定を含む前記ガイダンス情報の格納要求が受け付けられ、前記格納要求で指定された前記医療作業が前記熟練医療スタッフによって行なわれる場合に、前記医療作業情報を取得する請求項１〜６のいずれか１項に記載のガイダンス情報配信装置。
【請求項８】
前記医療作業情報取得部は、前記熟練医療スタッフのクライアント端末に対し、前記格納要求で指定された前記医療作業が行われる場合に作業開始通知を送信するよう求める作業開始通知要求を送信する請求項７に記載のガイダンス情報配信装置。
【請求項９】
医療作業に熟練した熟練医療スタッフにより前記医療作業が行なわれる場合に、前記医療作業の内容を表す医療作業情報を取得する取得ステップと、
前記医療作業情報取得部で取得された前記医療作業情報を、前記医療作業の手法や手順を説明するためのガイダンス情報としてガイダンス情報格納部に格納する格納する格納ステップと、
前記熟練医療スタッフよりも熟練度が低い一般医療スタッフによって使用されるクライアント端末から、複数種類の前記医療作業の中から選択された少なくとも１つの前記医療作業の指定を含む配信要求を受け付ける受付ステップと、
前記指定情報で指定された医療作業に対応する前記ガイダンス情報を前記ガイダンス情報格納部から読み出し、前記クライアント端末に配信する配信ステップと、
を備えるガイダンス情報配信装置の制御方法。
【請求項１０】
医療作業に熟練した熟練医療スタッフにより前記医療作業が行なわれる場合に、前記医療作業の内容を表す医療作業情報を取得する取得ステップと、
前記医療作業情報取得部で取得された前記医療作業情報を、前記医療作業の手法や手順を説明するためのガイダンス情報としてガイダンス情報格納部に格納する格納する格納ステップと、
前記熟練医療スタッフよりも熟練度が低い一般医療スタッフによって使用されるクライアント端末から、複数種類の前記医療作業の中から選択された少なくとも１つの前記医療作業の指定を含む配信要求を受け付ける受付ステップと、
前記指定情報で指定された医療作業に対応する前記ガイダンス情報を前記ガイダンス情報格納部から読み出し、前記クライアント端末に配信する配信ステップと、
をコンピュータに実行させるガイダンス情報配信プログラム。
【請求項１１】
医療作業に熟練した熟練医療スタッフよりも熟練度が低い一般医療スタッフが使用するクライアント端末と、前記クライアント端末に前記医療作業の手法や手順を説明するためのガイダンス情報を配信するガイダンス情報配信装置とを備えるガイダンス情報配信システムにおいて、
前記ガイダンス情報配信装置は、
前記熟練医療スタッフにより前記医療作業が行なわれる場合に、前記医療作業の内容を表す医療作業情報を取得する医療作業情報取得部と、
前記医療作業情報取得部で取得された前記医療作業情報を、前記ガイダンス情報として格納するガイダンス情報格納部と、
前記一般医療スタッフの前記クライアント端末から、複数種類の前記医療作業の中から選択された少なくとも１つの前記医療作業の指定を含む配信要求を受け付ける受付部と、
前記指定情報で指定された医療作業に対応する前記ガイダンス情報を前記ガイダンス情報格納部から読み出し、前記クライアント端末に配信する配信部と、
を備える
ガイダンス情報配信システム。
【発明の詳細な説明】
【技術分野】
【０００１】
本発明は、医療作業を行う際に参照されるガイダンス情報を配信するガイダンス情報配信装置、ガイダンス情報配信装置の制御方法、ガイダンス情報配信プログラム、及びガイダンス情報配信システムに関する。
【背景技術】
【０００２】
医療現場では、医師や看護師などの医療スタッフにより各種の医療作業が行なわれている。医療作業には、患者に対する診察や治療、処置などの医療行為と、医療器具や医療装置の準備やメンテナンスなど、医療行為に関連する医療関連作業とが含まれる。医療スタッフは、経験や能力などによって医療作業に対する熟練度がそれぞれ異なり、医療作業に熟練した熟練医療スタッフと、熟練医療スタッフよりも熟練度が低い一般医療スタッフとに大別することができる。熟練医療スタッフは、難易度の高い医療作業を単独で行うことができるのに対し、一般医療スタッフは、経験の少ない医療作業や難易度の高い医療作業を行う際に、熟練医療スタッフの指導やサポートが必要な場合がある。
【０００３】
熟練医療スタッフは、一般医療スタッフに比べて忙しい場合が多いため、一般医療スタッフによる医療作業を常にサポートできるとは限らない。そこで、特許文献１には、一般医療スタッフによる医療作業を支援する医療情報管理システムが提案されている。医療情報管理システムは、一般医療スタッフにより使用されるクライアント端末と、医療作業の手法や手順、注意事項などの説明情報であるガイダンス情報を管理する情報管理サーバとを備えている。一般医療スタッフは、経験の少ない医療作業や難易度の高い医療作業を行う際に、クライアント端末から情報管理サーバにガイダンス情報の配信を要求する。情報管理サーバは、要求されたガイダンス情報をクライアント端末に配信する。クライアント端末のディスプレイには、配信されたガイダンス情報が表示されるので、一般医療スタッフは、熟練医療スタッフのサポートが得られない場合でも、ガイダンス情報を参照しながら医療作業を行うことができる。
【先行技術文献】
【特許文献】
【０００４】
【特許文献１】特開２００５−１７３７３７号公報
【発明の概要】
【発明が解決しようとする課題】
【０００５】
医療作業には、複数の異なる手法や手順が存在するものがある。例えば、医療の進歩によって新しい手法や手順が開発された医療作業や、使用する医療器具や医療装置の種類などによって手法や手順が異なる医療作業などである。一般医療スタッフによる医療作業を適切にサポートするには、複数の異なる手法や手順についてもガイダンス情報を用意しておくべきではあるが、医療作業の種類や、医療作業毎に存在する手法や手順のバリエーション数を考慮すると、すべての医療作業の手法や手順毎にガイダンス情報を用意するのは現実的ではない。そのため、特許文献１のように、情報管理サーバにガイダンス情報を格納した状態で医療施設へ提供される医療情報管理システムでは、医療作業の手法や手順として広く一般的に利用されている標準的な手法や手順の説明をガイダンス情報に記録することが多い。
【０００６】
しかし、医療施設の中には、予算や実施頻度の関係などから、標準的とされている手法や手順を使用していない場合や、医療施設独自の手法や手順が確立されている場合もある。このような医療施設に、標準的な手法や手順の説明が記録されたガイダンス情報を提供しても、一般医療スタッフの参考にはならず、逆に混乱を招く可能性すらある。
【０００７】
本発明は、上記問題点を解決するために、一般医療スタッフの参考となるガイダンス情報を配信することができるガイダンス情報配信装置、ガイダンス情報配信装置の制御方法、ガイダンス情報配信プログラム、及びガイダンス情報配信システムを提供することを目的とする。
【課題を解決するための手段】
【０００８】
上記目的を達成するために、本発明のガイダンス情報配信装置は、医療作業情報取得部、ガイダンス情報格納部、受け付け部、及び配信部を備える。医療作業情報取得部は、医療作業に熟練した熟練医療スタッフにより医療作業が行なわれる場合に、医療作業の内容を表す医療作業情報を取得する。ガイダンス情報格納部は、医療作業情報取得部で取得された医療作業情報を、医療作業の手法や手順を説明するためのガイダンス情報として格納する。受け付け部は、熟練医療スタッフよりも熟練度が低い一般医療スタッフによって使用されるクライアント端末から、複数種類の医療作業の中から選択された少なくとも１つの医療作業の指定を含む配信要求を受け付ける。配信部は、指定情報で指定された医療作業に対応するガイダンス情報をガイダンス情報格納部から読み出し、クライアント端末に配信する。
【０００９】
医療作業情報取得部は、熟練医療スタッフによる医療作業を撮影する撮影部を含み、撮影部により撮影された医療作業画像を医療作業情報とすることが好ましい。
【００１０】
撮影部は、熟練医療スタッフの身体に装着されるウェアラブル型撮影装置と、医療作業が行われる部屋に設置された固定撮影装置とのうちの少なくとも１つであることが好ましい。
【００１１】
医療作業情報取得部は、患者の診療情報を含む医療情報を管理する医療情報管理装置から、熟練医療スタッフによる診療情報の閲覧履歴情報を取得し、閲覧履歴情報に基づいて、熟練医療スタッフが患者の診療を目的として閲覧した診療情報、及び診療情報の閲覧順序を特定することが好ましい。
【００１２】
医療作業情報取得部は、診療情報、または医療作業の内容が記録された医療情報である作業記録情報に基づいて、熟練医療スタッフが医療作業として行なった処置で使用した器具を特定し、医療作業情報として取得することが好ましい。
【００１３】
一般医療スタッフが保有する医療資格に関する資格情報を格納する資格情報格納部と、医療資格により実施が許されている医療作業と、実施が許されていない医療作業とを表す実施許否情報を格納する実施許否情報格納部と、資格情報及び実施許否情報に基づき、配信要求を送信した一般医療スタッフが、指定情報で指定した医療作業を実施可能か否か判定する判定部とを備えており、配信部は、判定部で実施可能と判定された場合には、ガイダンス情報を配信し、実施不可と判定された場合には、ガイダンス情報の配信を中止することが好ましい。
【００１４】
医療作業情報取得部は、受け付け部で医療作業の指定を含むガイダンス情報の格納要求が受け付けられ、格納要求で指定された医療作業が熟練医療スタッフによって行なわれる場合に、医療作業情報を取得することが好ましい。
【００１５】
医療作業情報取得部は、熟練医療スタッフのクライアント端末に対し、格納要求で指定された医療作業が行われる場合に作業開始通知を送信するよう求める作業開始通知要求を送信することが好ましい。
【００１６】
本発明のガイダンス情報配信装置の制御方法は、医療作業に熟練した熟練医療スタッフにより医療作業が行なわれる場合に、医療作業の内容を表す医療作業情報を取得する取得ステップと、医療作業情報取得部で取得された医療作業情報を、医療作業の手法や手順を説明するためのガイダンス情報としてガイダンス情報格納部に格納する格納する格納ステップと、熟練医療スタッフよりも熟練度が低い一般医療スタッフによって使用されるクライアント端末から、複数種類の医療作業の中から選択された少なくとも１つの医療作業を指定する指定情報を含む配信要求を受け付ける受付ステップと、指定情報で指定された医療作業に対応するガイダンス情報をガイダンス情報格納部から読み出し、クライアント端末に配信する配信ステップとを備えている。
【００１７】
本発明のガイダンス情報配信プログラムは、取得ステップ、格納ステップ、受付ステップ、配信ステップを備えている。
【００１８】
本発明のガイダンス情報配信システムは、一般医療スタッフが使用するクライアント端末と、クライアント端末に医療作業の手法や手順を説明するためのガイダンス情報を配信するガイダンス情報配信装置とを備えており、ガイダンス情報配信装置は、医療作業情報取得部、ガイダンス情報格納部、受付部、配信部を備える。
【発明の効果】
【００１９】
本発明によれば、医療作業情報取得部は、熟練医療スタッフによる医療行為の内容を表す医療作業情報を取得し、取得した医療作業情報をガイダンス情報としてガイダンス情報格納部に格納するので、医療施設が標準的とされている手法や手順で医療作業を行っていない場合、あるいは医療施設独自の手法や手順で医療行為を行っている場合であっても、その医療施設の手法や手順に適合したガイダンス情報を得ることができる。また、一般医療スタッフからの要求に応じて、その医療施設で利用している手法や手順に適合したガイダンス情報を配信するので、一般医療スタッフはガイダンス情報を参考にして医療作業を適切に行うことができる。
【図面の簡単な説明】
【００２０】
【図１】医療情報ネットワークシステムの構成図である。
【図２】電子カルテ情報の説明図である
【図３】閲覧履歴情報の説明図である。
【図４】作業記録情報の説明図である。
【図５】ガイダンス情報の説明図である。
【図６】ガイダンス情報配信装置の電気的構成を示すブロック図である。
【図７】ガイダンス情報配信装置のＣＰＵの機能を示すブロック図である。
【図８】クライアント端末の表示画面の一例を示す説明図である。
【図９】クライアント端末の表示画面の別の例を示す説明図である。
【図１０】クライアント端末の表示画面のさらに別の例を示す説明図である。
【図１１】ガイダンス情報の格納手順を示すフローチャートである。
【図１２】ガイダンス情報の配信手順を示すフローチャートである。
【図１３】第２実施形態のガイダンス情報配信装置の機能ブロック図である。
【図１４】資格情報格納部の説明図である。
【図１５】実施許否情報格納部の説明図である。
【図１６】第２実施形態のガイダンス情報の配信手順を示すフローチャートである。
【発明を実施するための形態】
【００２１】
[第１実施形態]
図１において、医療情報ネットワークシステム１０は、医師や看護師などの医療スタッフが医療作業を行う際に、医療スタッフの端末装置に対して、医療作業の参考となるガイダンス情報を配信するガイダンス情報配信システムである。
【００２２】
医療作業とは、患者に対する診察や治療、処置などの医療行為と、医療機器や医療装置の準備やメンテナンスなどの医療関連作業とを含む。ガイダンス情報は、医療作業の手法や手順、注意事項などの説明が記録された説明情報である。また、医療スタッフは、医療作業に熟練した熟練医療スタッフと、熟練医療スタッフよりも熟練度が低い一般医療スタッフとに大別される。熟練医療スタッフは、難易度の高い医療作業を単独で行うことができるのに対し、一般医療スタッフは、経験の少ない医療作業や難易度の高い医療作業を行う際に、熟練医療スタッフの指導やサポートを必要とする。ガイダンス情報は、一般医療スタッフが熟練医療スタッフの指導やサポート無しで医療作業を行う際に参照される。
【００２３】
医療情報ネットワークシステム１０は、クライアント端末１１、ＨＩＳサーバ１２、ＰＡＣＳサーバ１３、撮影部１４、ガイダンス情報配信装置１５、及びこれらを相互通信可能に接続する通信ネットワーク１６などで構成される。通信ネットワーク１６は、例えば、医療施設内に敷設されたＬＡＮ（Local Area Network）や移動体通信ネットワークである。
【００２４】
クライアント端末１１は、医療スタッフによって使用される複数台の端末装置であり、内科や外科などの診療科に設置された診療科端末１８と、診察室または診察室から持ち出されて使用される携帯情報端末１９とを含む。診療科端末１８には、デスクトップ型またはノート型のコンピュータが用いられる。携帯情報端末１９には、例えば、スマートフォンやタブレット型端末、ノート型コンピュータなどが用いられる。クライアント端末１１は、電子カルテや医用画像の閲覧、電子カルテへの診療情報の入力、医療機器や医療装置の準備やメンテナンスなどの各種作業記録の入力などの他、ガイダンス情報の参照にも利用される。
【００２５】
ＨＩＳサーバ１２は、病院情報システム（ＨＩＳ：Hospital Information System）のサーバであり、電子カルテなどの医療情報を管理する医療情報管理装置である。ＨＩＳサーバ１２は、電子カルテ格納部２１及び医療情報格納部２２を備える。電子カルテ格納部２１には、患者毎に作成された複数の電子カルテ情報２３が格納されている。電子カルテ情報２３は、患者の氏名、性別、生年月日などの患者基本情報と、患者に施された診察や治療、処置などに関する診療情報とを備える。診療情報には、処置や手術などで使用された器具の種類や名称に関する情報も格納されている。
【００２６】
医療情報格納部２２には、医療スタッフ毎に作成された閲覧履歴情報２５と、医療機器や医療装置毎に作成された作業記録情報２６などが格納されている。閲覧履歴情報２５は、医療スタッフにより閲覧された診療情報の履歴情報であり、閲覧された診療情報及び閲覧日時が格納されている。作業記録情報２６は、医療機器や医療装置のメンテナンスなどの作業記録に関する情報であり、作業内容と、作業に使用した器具の種類や名称などが記録されている。
【００２７】
ＨＩＳサーバ１２は、クライアント端末１１からのアクセスを受け付けて、クライアント端末１１から要求された任意の患者の電子カルテ情報２３を配信し、クライアント端末１１から送信された診療情報を電子カルテ情報２３に記録する。また、ＨＩＳサーバ１２は、ガイダンス情報配信装置１５からの要求に応じて、診療情報、閲覧履歴情報２５及び作業記録情報２６を送信する。
【００２８】
ＰＡＣＳサーバ１３は、医療画像保管通信システム（ＰＡＣＳ；Picture Archiving and Communication System）のサーバであり、画像格納部２８に放射線画像や内視鏡画像などの複数の画像データ２９を格納する。各画像データ２９は、同じ患者の電子カルテ情報２３に関連付けされている。そのため、クライアント端末１１から、閲覧中の電子カルテ情報２３に関連付けられている画像データ２９が呼び出された場合には、ＰＡＣＳサーバ１３は、呼び出された画像データ２９を画像格納部２８から読み出し、クライアント端末１１に送信する。なお、医療画像も患者の診療情報の一部であり、上述した閲覧履歴情報２５には、電子カルテ情報２３から呼び出された画像データ２９のデータ名及び閲覧日時が記録される。
【００２９】
撮影部１４は、熟練医療スタッフによる医療作業の撮影に用いられる複数台のカメラであり、固定カメラ３１及びウェアラブルカメラ３２を含む。固定カメラ３１は、撮影室内に設置された固定型撮影装置であり、熟練医療スタッフによる医療作業の動画及び音声を医療作業画像として記録する。ウェアラブルカメラ３２は、熟練医療スタッフの身体に装着された状態で熟練医療スタッフの医療作業画像を記録する。固定カメラ３１及びウェアラブルカメラ３２は、記録した医療作業画像は通信ネットワーク１６を経由してガイダンス情報配信装置１５に送信する。
【００３０】
ガイダンス情報配信装置１５は、医療作業のガイダンス情報３４が格納されたガイダンス情報格納部３３を備える。ガイダンス情報格納部３３には、医療作業の手法や手順として広く一般的に利用されている標準的な手法や手順の説明を記録したガイダンス情報３４が予め格納されているが、ガイダンス情報配信装置１５は、医療施設で独自に利用されている医療作業の手法や手順をガイダンス情報３４として格納する機能を備えている。
【００３１】
ガイダンス情報配信装置１５は、一般医療スタッフ及び熟練医療スタッフのクライアント端末１１から、ガイダンス情報として格納しておくべき医療作業の格納要求を受け付ける。格納要求された医療作業が熟練医療スタッフによって行われる場合には、ガイダンス情報配信装置１５は、医療作業の内容を表す医療作業情報を取得し、取得した医療作業情報をガイダンス情報３４としてガイダンス情報格納部３３に格納する。医療作業情報には、固定カメラ３１及びウェアラブルカメラ３２から取得した医療作業画像が用いられる他、電子カルテ情報２３の診療情報、閲覧履歴情報２５、及び作業記録情報２６から取得された情報も利用される。また、ガイダンス情報配信装置１５は、一般医療スタッフのクライアント端末１１からガイダンス情報３４の配信要求を受け付けた場合には、要求されたガイダンス情報３４をガイダンス情報格納部３３から読み出してクライアント端末１１に配信する。
【００３２】
図２において、電子カルテ格納部２１には、患者毎に作成された複数の電子カルテ情報２３が格納されている。各電子カルテ情報２３には、患者基本情報２３ａと、診療情報２３ｂとが格納されている。患者基本情報２３ａには、患者ＩＤ、患者氏名、性別、生年月日など、患者に関する基本的な情報が格納されている。患者ＩＤは、各患者を識別するために医療施設で付与された識別情報である。診療情報２３ｂには、診察日時、診療科、疾病名、医師の所見、薬剤の処方及び備考など、患者の診療に関する情報が記録される。備考２３ｃには、患者の診療において、処置や手術などが行われた場合に、処置や手術の際に使用された器具の種類や名称などが記録される。例示した備考２３ｃには、点滴で使用された器具として、点滴スタンド、輸液ボトル、点滴チューブ、点滴筒、クレンメ及び静脈針などが記録されている。
【００３３】
図３において、医療情報格納部２２には、医療スタッフ毎に作成された複数の閲覧履歴情報２５が格納されている。各閲覧履歴情報２５には、スタッフＩＤと、複数の閲覧情報２５ａとが格納されている。スタッフＩＤは、診療情報を閲覧した医療スタッフの識別情報である。各閲覧情報２５ａには、医療スタッフが閲覧した診療情報２３ｂの名称と、その診療情報２３ｂの閲覧日及び閲覧時刻とが格納されている。例示した閲覧情報００１〜００３は、患者Ｐ１の肺ガンの診察のために閲覧された診療情報の閲覧履歴であり、最新の胸部ＣＴ（Computed Tomography）画像と、３カ月前の胸部ＣＴ画像と、肺の病理検査の結果とが順に閲覧されている。なお、診療情報名として、診療情報２３ｂの内容を表す名称を格納しているが、診療情報２３ｂのファイル名及び格納先アドレスを記録してもよい。
【００３４】
図４において、医療情報格納部２２には、作業の種類毎に複数の作業記録情報２６が格納されている。例示した作業記録情報２６は、内視鏡の洗浄作業の作業記録であり、スタッフＩＤ、内視鏡ＩＤ、作業項目、洗浄日、洗浄時刻及び備考などが格納されている。スタッフＩＤは、洗浄作業を担当した医療スタッフのスタッフＩＤである。内視鏡ＩＤは、洗浄された内視鏡の識別情報である。作業項目には、内視鏡を洗浄するために行われた作業項目名が格納される。備考２６ａには、洗浄作業に関連する情報として、例えば洗浄に使用された器具の種類や名称などが格納される。例示した備考２６ａには、内視鏡の洗浄に使用されたガーゼ、中性洗浄剤、チャンネル洗浄剤及び防水キャップなどが記録されている。
【００３５】
図５において、ガイダンス情報格納部３３には、医療作業の種類毎に作成された複数のガイダンス情報３４が格納されている。ガイダンス情報３４には、ガイダンスＩＤ、医療作業名、格納日、格納時刻及び医療作業情報が格納されている。ガイダンスＩＤは、ガイダンス情報毎に付与された識別情報である。医療作業名は、ガイダンス情報により手法や手順が説明されている医療作業の名称である。医療作業情報３５には、固定カメラ３１及びウェアラブルカメラ３２から取得した医療作業画像３５ａ、診療情報２３ｂ、閲覧履歴情報２５及び作業記録情報２６から取得した医療作業情報３５ｂ〜３５ｄの少なくとも１つが格納される。診療情報２３ｂから取得される医療作業情報３５ｂは、例えば、備考２３ｃに記録された点滴の使用器具である。また、閲覧履歴情報２５から取得される医療作業情報３５ｃは、例えば、熟練医療スタッフによって閲覧された診療情報名及び閲覧順序である。閲覧順序は、閲覧時刻から特定される。さらに、作業記録情報２６から取得される医療作業情報３５ｄは、例えば、備考２６ａに記録された内視鏡洗浄の使用器具である。
【００３６】
図６において、ガイダンス情報配信装置１５は、コンピュータにオペレーティングシステムなどの制御プログラムや、コンピュータをガイダンス情報配信装置１５として機能させるためのアプリケーションプログラム（ガイダンス情報配信プログラムと呼ぶ）１５Ｈをインストールして構成される。ガイダンス情報配信装置１５は、ディスプレイ１５Ａの他、入力デバイス１５Ｂ、ＣＰＵ１５Ｃ、メモリ１５Ｄ、ストレージデバイス１５Ｅ、通信Ｉ／Ｆ１５Ｆが設けられており、これらはデータバス１５Ｇを介して接続されている。
【００３７】
入力デバイス１５Ｂは、キーボード、マウス、ディスプレイ１５Ａと一体となったタッチパネルなどである。ストレージデバイス１５Ｅは、各種データを格納するデバイスであり、例えば、ハードディスクドライブで構成される。ストレージデバイス１５Ｅは、制御プログラムや、ガイダンス情報配信プログラム１５Ｈと、ガイダンス情報格納部３３とが格納される。
【００３８】
メモリ１５Ｄは、ＣＰＵ１５Ｃが処理を実行するためのワークメモリである。ＣＰＵ１５Ｃは、ストレージデバイス１５Ｅに格納された制御プログラム及びガイダンス情報配信プログラム１５Ｈをメモリ１５Ｄへロードして、プログラムに従った処理を実行することにより、コンピュータの各部を統括的に制御する。通信Ｉ／Ｆ１５Ｆは、通信ネットワーク１６に接続して通信するための通信インタフェースである。
【００３９】
図７において、ＣＰＵ１５Ｃは、ガイダンス情報配信プログラム１５Ｈを起動すると、メモリ１５Ｄなどコンピュータの各部と協働して、受け付け部４０、医療作業情報取得部４１及び配信部４２として機能する。なお、複数のクライアント端末１１のうち、一般医療スタッフ及び熟練医療スタッフが使用するクライアント端末を、それぞれ一般スタッフ用クライアント端末１１Ａ、熟練スタッフ用クライアント端末１１Ｂとして図示する。
【００４０】
受け付け部４０は、一般スタッフ用クライアント端末１１Ａ及び熟練スタッフ用クライアント端末１１Ｂから、ガイダンス情報３４の格納要求及び配信要求を受け付ける。医療作業情報取得部４１は、熟練医療スタッフによる医療行為の内容を表す医療作業情報を取得する。具体的には、受け付け部４０で医療作業の指定を含むガイダンス情報の格納要求が受け付けられ、格納要求で指定された医療作業が熟練医療スタッフによって行なわれる場合に、医療作業情報を取得する。
【００４１】
医療作業情報取得部４１は、格納要求で指定された医療作業が熟年医療スタッフによって行われることを事前に知るために、熟練スタッフ用クライアント端末１１Ｂに対し、格納要求で指定された医療作業が行われる場合に作業開始通知を送信するよう求める作業開始通知要求を送信する。医療作業情報取得部４１は、作業開始通知を受信した場合に、医療作業情報の取得を開始する。
【００４２】
医療作業情報取得部４１は、格納要求で指定された医療作業が、処置や手術など、熟練医療スタッフが実際に作業をしている作業風景を見たほうが参考となる医療作業である場合には、固定カメラ３１及びウェアラブルカメラ３２に熟練医療スタッフによる医療作業を撮影させ、記録された医療作業画像を医療作業情報として取得する。
【００４３】
また、格納要求で指定された医療作業が処置や手術などであり、この処置や手術などで使用される器具の種類が参考になる医療作業の場合には、医療作業情報取得部４１は、ＨＩＳサーバ１２から電子カルテ情報２３の診療情報２３ｂ（図２参照）を取得し、診療情報２３ｂの備考２３ｃに基づいて、処置や手術に使用された器具の種類を医療作業情報として取得する。
【００４４】
さらに、格納要求で指定された医療作業が、診療情報２３ｂの閲覧に基づく診断である場合には、医療作業情報取得部４１は、ＨＩＳサーバ１２から熟練医療スタッフの閲覧履歴情報２５（図３参照）を取得し、熟練医療スタッフが閲覧した診療情報２３ｂの名称及び閲覧順序を医療作業情報として取得する。
【００４５】
また、格納要求で指定された医療作業が、医療機器や医療装置のメンテナンス作業などである場合には、医療作業情報取得部４１は、ＨＩＳサーバ１２から作業記録情報２６（図４参照）を取得し、作業記録情報２６の備考２６ａに基づいて、メンテナンス作業に使用された器具の種類を医療作業情報として取得する。医療作業情報取得部４１で取得された医療作業情報は、医療作業のガイダンス情報３４としてガイダンス情報格納部３３（図５参照）に格納される。
【００４６】
配信部４２は、受け付け部４０が一般スタッフ用クライアント端末１１Ａからガイダンス情報３４の配信要求を受け付けた場合に、配信要求で指定されたガイダンス情報３４をガイダンス情報格納部３３から読み出し、配信要求を送信した一般スタッフ用クライアント端末１１Ａに配信する。
【００４７】
図８は、一般スタッフ用クライアント端末１１Ａのディスプレイに表示される表示画面の一例である。表示画面４５は、ＨＩＳ１２から配信された患者の電子カルテ情報２３が表示されるメイン表示領域４５ａと、メイン表示領域４５ａの右上部分に設けられ、ガイダンス情報３４が表示されるサブ表示領域４５ｂとを備えている。例示しているガイダンス情報３４は、熟練医療スタッフが医療作業として注射を行う場面を撮影した動画であり、固定カメラ３１により撮影された医療作業画像が用いられている。
【００４８】
図９に示すように、ガイダンス情報３４が表示されるサブ表示領域４５ｃは、メイン表示領域４５ａの右端部分全体に設けてもよい。例示しているガイダンス情報３４は、内視鏡の洗浄作業で使用された器具の種類である。また、ガイダンス情報として、動画と文字情報など複数用意されている場合には、図１０に示すように、表示画面４５のメイン表示領域４５ａに一方のガイダンス情報、例えば動画を表示し、サブ表示領域４５ｂに文字情報を表示するようにしてもよい。
【００４９】
上記構成によるガイダンス情報３４の格納と、ガイダンス情報３４の配信について作用を説明する。図１１において、一般医療スタッフ及び熟練医療スタッフは、ガイダンス情報格納部３３に格納されていない医療作業のガイダンス情報が必要になった場合、一般スタッフ用クライアント端末１１Ａ及び熟練スタッフ用クライアント端末１１Ｂから、ガイダンス情報配信装置１５にガイダンス情報３４の格納要求を送信する（Ｓ１０）。
【００５０】
ガイダンス情報配信装置１５の受け付け部４０は、クライアント端末１１から受け付けた格納要求を医療作業情報取得部４１に入力する。医療作業情報取得部４１は、熟練スタッフ用クライアント端末１１Ｂに対し、格納要求で指定された医療作業が行われる場合に作業開始通知を送信するよう求める作業開始通知要求を送信する（Ｓ１１）。熟練スタッフ用クライアント端末１１Ｂは、作業開始通知要求で指定された医療作業を行う場合、ガイダンス情報配信装置１５に対し作業開始通知を送信する（Ｓ１２でＹＥＳ）。医療作業情報取得部４１は、作業開始通知を受信すると、医療作業情報の取得を開始する（Ｓ１３）。
【００５１】
格納要求で指定された医療作業が、処置や手術など、熟練医療スタッフが実際に作業をしている作業風景を見たほうが参考となる医療作業である場合、医療作業情報取得部４１は、固定カメラ３１及びウェアラブルカメラ３２に熟練医療スタッフによる医療作業を撮影させ、記録された医療作業画像を医療作業情報として取得する。また、格納要求で指定された医療作業が処置や手術などであり、この処置や手術などで使用される器具の種類が参考になる医療作業の場合には、電子カルテ情報２３の診療情報２３ｂ（図２参照）を取得し、診療情報２３ｂの備考２３ｃに基づいて、処置や手術に使用された器具の種類を医療作業情報として取得する。
【００５２】
さらに、格納要求で指定された医療作業が、診療情報２３ｂの閲覧に基づく診断である場合には、医療作業情報取得部４１は、熟練医療スタッフの閲覧履歴情報２５（図３参照）を取得し、熟練医療スタッフが閲覧した診療情報２３ｂの名称及び閲覧順序を医療作業情報として取得する。また、格納要求で指定された医療作業が、医療機器や医療装置のメンテナンス作業などである場合には、作業記録情報２６（図４参照）を取得し、作業記録情報２６の備考２６ａに基づいて、メンテナンス作業に使用された器具の種類を医療作業情報として取得する。
【００５３】
医療作業情報取得部４１は、撮影部１４、診療情報２３ａ、閲覧履歴情報２５及び作業記録情報２６などから取得した医療作業情報を、医療作業のガイダンス情報３４としてガイダンス情報格納部３３（図５参照）に格納する（Ｓ１４）。
【００５４】
図１２において、一般医療スタッフは、経験の少ない医療作業や難易度の高い医療作業を行う場合には、一般スタッフ用クライアント端末１１Ａからガイダンス情報配信装置１５に対し、ガイダンス情報３４の配信要求を送信する（Ｓ２０）。ガイダンス情報配信装置１５の受け付け部４０は、一般スタッフ用クライアント端末１１Ａから受け付けた配信要求を配信部４２に入力する。配信部４２は、ガイダンス情報格納部３３から、配信要求で指定された医療作業のガイダンス情報３４を読み出し（Ｓ２１）、配信要求を送信した一般スタッフ用クライアント端末１１Ａに配信する（Ｓ２２）。
【００５５】
図８において、一般スタッフ用クライアント端末１１Ａに配信されたガイダンス情報３４は、ディスプレイの表示画面４５の右上部分に設けられたサブ表示領域４５ｂに表示される。一般医療スタッフは、経験の少ない医療作業や難易度の高い医療作業であっても、サブ表示領域４５ｂに表示されるガイダンス情報３４を参考にすることができるので、熟練医療スタッフのサポート無しで医療作業を行うことができる。
【００５６】
また、表示画面４５の一部にガイダンス情報３４を表示するので、電子カルテ情報２３の確認も同時に行うことができる。さらに、ガイダンス情報３４をサブ表示領域４５ｂに小さく表示するので、患者にガイダンス情報３４を見られにくくすることができる。患者は、医療スタッフがガイダンス情報３４を参考にしながら医療作業を行っていることを知った場合、医療スタッフの技量の疑問を持ち、不安に感じる場合があるため、患者にガイダンス情報３４を見られにくくなるのは、患者に不安を与えないためにも有用である。
【００５７】
以上で説明したように、医療作業情報取得部４１は、熟練医療スタッフによる医療行為の内容を表す医療作業情報を取得し、取得した医療作業情報をガイダンス情報３４としてガイダンス情報格納部３３に格納するので、医療施設が標準的とされている手法や手順で医療作業を行っていない場合、あるいは医療施設独自の手法や手順で医療行為を行っている場合であっても、その医療施設の手法や手順に適合したガイダンス情報３４を得ることができる。また、一般医療スタッフからの要求に応じて、その医療施設で利用している手法や手順に適合したガイダンス情報３４を配信するので、一般医療スタッフはガイダンス情報３４を参考にして医療作業を適切に行うことができる。
【００５８】
また、ガイダンス情報３４として、熟練医療スタッフの医療行為を撮影した動画や、熟練医療スタッフが閲覧した診療情報の種類及び順序、処置や手術、メンテナンス作業などで使用した器具などを格納するので、医療施設で行われている医療作業全般について、ガイダンス情報３４を作成することができる。
【００５９】
また、ガイダンス情報配信装置１５は、ガイダンス情報３４の格納要求を受け付け、格納要求で指定された医療作業が熟練医療スタッフによって行なわれる場合に、医療作業情報を取得するので、必要とするガイダンス情報３４を適切に作成することができる。また、熟練スタッフ用クライアント端末１１Ｂに対し、格納要求で指定された医療作業が行われる場合に作業開始通知を送信するよう求める作業開始通知要求を送信し、作業開始通知を受信した場合に医療作業情報を取得するので、医療作業情報の取得タイミングを逃すことがない。
【００６０】
以下、本発明の第２実施形態について説明する。なお、第１実施形態と同じ構成については同符号を使用し、詳しい説明は省略する。
【００６１】
［第２実施形態］
近年、医療の高度化や高齢化が進み、医療現場の負担が増えることが予想されているため、従来の看護師よりも高度な医療作業に携わることができる特定看護婦という資格を導入する動きがある。また、麻酔科医の人材不足を解消するため、看護麻酔師という資格を導入し、高い能力と実務経験を持つ看護師が麻酔を行えるようにすることも考えられている。このように、看護師としての医療資格が増え、医療資格により携われる医療作業が異なる場合、任意の医療資格を有する医療スタッフしか行うことができない医療作業のガイダンス情報を、医療資格を有しない医療スタッフに配信してしまう可能性がある。医療資格を有しない医療スタッフに、実施資格の無い医療作業のガイダンス情報が配信されると、医療過誤の原因ともなりかねないため、対処が必要である。本実施形態は、医療スタッフの保有資格に応じて、ガイダンス情報の配信許否を判断する。
出できるようにする。
【００６２】
図１３に示すように、本実施形態のガイダンス情報配信装置５０は、資格情報格納部５１、実施許否情報格納部５２及び判定部５３を有する。図１４に示すように、資格情報格納部５１は、医療スタッフのスタッフＩＤと、医療スタッフが保有する医療資格とが格納されている。例示した医療スタッフＮ０００１〜Ｎ０００３は、それぞれ看護師、特定看護師、看護麻酔師の資格を有している。
【００６３】
図１５に示すように、実施許否情報格納部５２は、看護師、特定看護師、看護麻酔師がそれぞれ実施許可及び許可されていない医療行為を登録している。実施が許可されている医療行為は「ＯＫ」と登録されており、実施が許可されていない医療行為には「ＮＧ」と登録されている。例えば、従来の看護師は、「初期症状の診断」、「処方」、「投薬」、「麻酔薬の投与」、「神経ブロック」及び「気管挿管」の全てについて許可されていない。これに対し、特定看護師は、「初期症状の診断」、「処方」、「投薬」が許可されている。また、看護麻酔師は、「麻酔薬の投与」、「神経ブロック」及び「気管挿管」が許可されている。
【００６４】
図１６に示すように、判定部５３は、一般スタッフ用クライアント端末１１Ａから配信要求を受けた場合（Ｓ１０）、配信要求を送信した一般医療スタッフの医療資格を資格情報に基づいて確認し（Ｓ３０）、配信要求で指定された医療作業が、配信要求を送信した一般医療スタッフに許可されているか否かを実施許否情報に基づいて判定する（Ｓ３１）。判定部５３の判定結果は、配信部４２に入力される。配信部４２は、判定部５３で実施可能と判定された場合（Ｓ３１でＹＥＳ）には、ガイダンス情報格納部３３からガイダンス情報３４を読み出し（Ｓ１１）、一般スタッフ用クライアント端末１１Ａに配信する（Ｓ１２）。また、判定部５３で実施不可と判定された場合（Ｓ３１でＮＯ）には、ガイダンス情報３４の配信を中止する。
【００６５】
本実施形態によれば、一般医療スタッフが配信要求した医療作業について実施可能な資格を有していない場合には、ガイダンス情報３４の配信を中止するようにしたので、実施資格を有しない医療スタッフに、実施できない医療作業のガイダンス情報が配信されるのを防止することができ、医療過誤の発生を事前に防止することができる。なお、例示した特定看護師及び看護麻酔師に関する制度は、現時点でまだ国内に導入されていないので、導入後に適用することができる。また、医療スタッフとして看護師を例に説明したが、医師や放射線技師など、医療資格が細分化され、細分化された資格毎に実施可能な医療作業が異なっている医療資格にも適用可能である。
【００６６】
上記各実施形態では、医療スタッフから格納要求された医療作業のガイダンス情報を作成するようにしたが、任意の熟練医療スタッフが医療作業を行う場合や、ガイダンス情報格納部に格納されていない医療作業が実施される場合に、ガイダンス情報を作成するようにしてもよい。また、クライアント端末１１として携帯情報端末１８を例示したが、例えば、眼鏡やゴーグルなどの形状をしたウェアラブル端末をクライアント端末１１としてもよい。
【００６７】
さらに、上記実施形態では、ガイダンス情報配信装置１５を個別に設けたが、ＨＩＳサーバ１２やＰＡＣＳサーバ１３にガイダンス情報配信装置１５の機能を設けてもよい。また、ガイダンス情報格納部３３をガイダンス情報配信装置１５に設けたが、医療施設内または医療施設外の別のサーバに設けてもよい。また、医療作業情報の取得元となる情報として、診療情報２３ａ、閲覧履歴情報２５、作業記録情報２６を例示したが、その他の各種医療情報に基づいて医療作業情報を取得してもよい。
【符号の説明】
【００６８】
１０  医療情報ネットワークシステム
１１  クライアント端末
１２  ＨＩＳ
１３  ＰＡＣＳ
１４  撮影部
１５、５０  ガイダンス情報配信装置
１５Ｈガイダンス情報配信プログラム
２３  電子カルテ情報
２５  閲覧履歴情報
２６  作業記録情報
２９  画像データ
３１  固定カメラ
３２  ウェアラブルカメラ
３３  ガイダンス情報格納部
３４  ガイダンス情報
３５  医療作業情報
４０  受付部
４１  医療作業情報取得部
４２  配信部
５１  資格情報格納部
５２  実施許否情報格納部
５３  判定部
【図１】
2015197735.tif 000003
【図２】
2015197735.tif 000004
【図３】
2015197735.tif 000005
【図４】
2015197735.tif 000006
【図５】
2015197735.tif 000007
【図６】
2015197735.tif 000008
【図７】
2015197735.tif 000009
【図８】
2015197735.tif 000010
【図９】
2015197735.tif 000011
【図１０】
2015197735.tif 000012
【図１１】
2015197735.tif 000013
【図１２】
2015197735.tif 000014
【図１３】
2015197735.tif 000015
【図１４】
2015197735.tif 000016
【図１５】
2015197735.tif 000017
【図１６】
2015197735.tif 000018